【手続補正書】
【提出日】平成17年9月2日(2005.9.2)
【手続補正１】
【補正対象書類名】明細書
【補正対象項目名】特許請求の範囲
【補正方法】変更
【補正の内容】
【特許請求の範囲】
【請求項１】
インク記録ヘッドにより印刷を行う画像形成装置であって、
該装置に対して脱着可能なインクカートリッジと、
前記インク記録ヘッドにインクを供給するサブタンクと、
前記インクカートリッジから前記サブタンクへインクを供給するインク供給手段と、
前記インクカートリッジの脱着を検出する脱着検出手段と、
前記装置の動作継続が不可能で、かつ復旧処置を施した後に前記装置の再起動が必要な故障状態にあることを検出する故障状態検出手段と、
前記装置の状態に関する情報を表示する表示手段と、を具備し、
前記表示手段は前記インクカートリッジが装着されていない状態であることや前記故障状態にあることを表示し、
前記装置が前記故障状態にあり、かつ前記インクカートリッジが外れた状態にある時は、前記インクカートリッジが装着されていない状態であることを示す表示に優先して、前記装置が故障状態にあることを示す表示を前記表示手段が行うようにしたことを特徴とする画像形成装置。
【請求項２】
インク記録ヘッドにより印刷を行う画像形成装置であって、
該装置に対して脱着可能なインクカートリッジと、
前記インク記録ヘッドにインクを供給するサブタンクと、
前記インクカートリッジから前記サブタンクへインクを供給するインク供給手段と、
前記インクカートリッジの脱着を検出する脱着検出手段と、
前記装置の動作継続が不可能で、かつ復旧処置が施された後には装置が自動的に動作可能な状態となりうる異常中状態であることを検出する異常中状態検出手段と、
前記装置の状態に関する情報を表示する表示手段と、を具備し、
前記表示手段は前記インクカートリッジが装着されていない状態であることや前記異常中状態にあることを表示し、
前記装置が前記異常中状態にあり、かつ前記インクカートリッジが外れた状態にある時は、前記装置が異常中状態にあることを示す表示に優先して、前記インクカートリッジが装着されていない状態であることを示す表示を前記表示手段が行うようにしたことを特徴とする画像形成装置。
【請求項３】
請求項２記載の画像形成装置において、
印刷用紙の詰まりを検出する用紙搬送状態検出手段を具備し、
前記印刷用紙が詰まっていることを検出した場合には、装置が前記異常中状態であると判断するようにしたことを特徴とする画像形成装置。
【請求項４】
請求項２記載の画像形成装置において、
該装置の機内温度を検出する温度検出手段を具備し、
前記温度検出手段による機内温度の測定結果が所定温度範囲外にある場合は、前記装置の動作を不可とする使用可能温度範囲外状態とし、前記装置が前記異常中状態であると判断するようにしたことを特徴とする画像形成装置。
【請求項５】
インク記録ヘッドにより印刷を行う画像形成装置であって、
該装置に対して脱着可能なインクカートリッジと、
前記インク記録ヘッドにインクを供給するサブタンクと、
前記インクカートリッジから前記サブタンクへインクを供給するインク供給手段と、
前記インクカートリッジの脱着を検出する脱着検出手段と、
前記装置の状態に関する情報を表示する表示手段と、を具備し、
前記表示手段は前記インクカートリッジが装着されていない状態であることや装置が印刷動作の準備をしている準備中状態にあることを表示し、
前記装置が前記準備中状態にあり、かつ前記インクカートリッジが外れた状態にある時は、前記装置が準備中状態にあることを示す表示に優先して、前記インクカートリッジが装着されていない状態であることを示す表示を前記表示手段が行うようにしたことを特徴とする画像形成装置。
【請求項６】
請求項５記載の画像形成装置において、
該装置は更に、信頼性維持回復モータを含み該モータによって動作する、前記インク記録ヘッドの性能を維持するための信頼性維持回復機構を具備し、
前記準備中状態は、前記信頼性維持回復機構が動作中の状態を含む、画像形成装置。
【請求項７】
インク記録ヘッドにより印刷を行う画像形成装置であって、
該装置に対して脱着可能なインクカートリッジと、
前記インク記録ヘッドを備えたキャリッジに搭載され前記インク記録ヘッドにインクを供給するサブタンクと、
前記インクカートリッジから前記サブタンクへインクを供給するインク供給手段と、
前記インクカートリッジの脱着を検出する脱着検出手段と、
前記装置の状態に関する情報を表示する表示手段と、を具備し、
前記表示手段は前記インクカートリッジが装着されていない状態であることや装置が印刷動作の準備をしている準備中状態にあることを表示し、
前記装置が前記準備中状態にあり、かつ前記インクカートリッジが外れた状態にある時は、前記インクカートリッジが装着されていない状態であることを示す表示に優先して、装置が準備中状態にあることを示す表示を前記表示手段が行うようにしたことを特徴とする画像形成装置。
【請求項８】
請求項７記載の画像形成装置は更に、
該装置を制御し、また印刷を行うためのデータを保持するためのメモリと、
前記メモリにデータを正常に読み書きできることを検出する自己診断手段と、
前記メモリに前記装置を正常に動作させるための初期値を書き込む初期化手段と、を具備し、前記準備中状態は、前記メモリの自己診断手段による自己診断動作中の状態、又は前記メモリの初期化手段による初期化動作中の状態である、ことを特徴とする画像形成装置。
【手続補正２】
【補正対象書類名】明細書
【補正対象項目名】０００４
【補正方法】変更
【補正の内容】
【０００４】
【課題を解決するための手段】
上述の問題点を解決するために、請求項１記載の発明は、インク記録ヘッドにより印刷を行う画像形成装置であって、該装置に対して脱着可能なインクカートリッジと、
前記インク記録ヘッドにインクを供給するサブタンクと、前記インクカートリッジから前記サブタンクへインクを供給するインク供給手段と、前記インクカートリッジの脱着を検出する脱着検出手段と、前記装置の動作継続が不可能で、かつ復旧処置を施した後に前記装置の再起動が必要な故障状態にあることを検出する故障状態検出手段と、前記装置の状態に関する情報を表示する表示手段と、を具備し、前記表示手段は前記インクカートリッジが装着されていない状態であることや前記故障状態にあることを表示し、前記装置が前記故障状態にあり、かつ前記インクカートリッジが外れた状態にある時は、前記インクカートリッジが装着されていない状態であることを示す表示に優先して、前記装置が故障状態にあることを示す表示を前記表示手段が行うようにした画像形成装置を最も主要な特徴とする。
請求項２記載の発明は、該装置に対して脱着可能なインクカートリッジと、前記インク記録ヘッドにインクを供給するサブタンクと、前記インクカートリッジから前記サブタンクへインクを供給するインク供給手段と、前記インクカートリッジの脱着を検出する脱着検出手段と、前記装置の動作継続が不可能で、かつ復旧処置が施された後には装置が自動的に動作可能な状態となりうる異常中状態であることを検出する異常中状態検出手段と、前記装置の状態に関する情報を表示する表示手段と、を具備し、前記表示手段は前記インクカートリッジが装着されていない状態であることや前記異常中状態にあることを表示し、前記装置が前記異常中状態にあり、かつ前記インクカートリッジが外れた状態にある時は、前記装置が異常中状態にあることを示す表示に優先して、前記インクカートリッジが装着されていない状態であることを示す表示を前記表示手段が行うようにした画像形成装置を最も主要な特徴とする。
【手続補正３】
【補正対象書類名】明細書
【補正対象項目名】０００５
【補正方法】変更
【補正の内容】
【０００５】
請求項３記載の発明は、印刷用紙の詰まりを検出する用紙搬送状態検出手段を具備し、前記印刷用紙が詰まっていることを検出した場合には、装置が前記異常中状態であると判断するようにした画像形成装置を主要な特徴とする。
請求項４記載の発明は、装置の機内温度を検出する温度検出手段を具備し、前記温度検出手段による機内温度の測定結果が所定温度範囲外にある場合は、装置の動作を不可とする使用可能温度範囲外状態とし、装置が前記異常中状態であると判断するようにした画像形成装置を最も主要な特徴とする。
請求項５記載の発明は、インク記録ヘッドにより印刷を行う画像形成装置であって、該装置に対して脱着可能なインクカートリッジと、前記インク記録ヘッドにインクを供給するサブタンクと、前記インクカートリッジから前記サブタンクへインクを供給するインク供給手段と、前記インクカートリッジの脱着を検出する脱着検出手段と、前記装置の状態に関する情報を表示する表示手段と、を具備し、前記表示手段は前記インクカートリッジが装着されていない状態であることや装置が印刷動作の準備をしている準備中状態にあることを表示し、前記装置が前記準備中状態にあり、かつ前記インクカートリッジが外れた状態にある時は、前記装置が準備中状態にあることを示す表示に優先して、前記インクカートリッジが装着されていない状態であることを示す表示を前記表示手段が行うようにした画像形成装置を最も主要な特徴とする。
請求項６記載の発明は、信頼性維持回復モータを含み該モータによって動作する、前記インク記録ヘッドの性能を維持するための信頼性維持回復機構を具備し、前記準備中状態は、前記信頼性維持回復機構が動作中の状態を含む、画像形成装置を最も主要な特徴とする。
【手続補正４】
【補正対象書類名】明細書
【補正対象項目名】０００６
【補正方法】変更
【補正の内容】
【０００６】
請求項７記載の発明は、インク記録ヘッドにより印刷を行う画像形成装置であって、該装置に対して脱着可能なインクカートリッジと、前記インク記録ヘッドを備えたキャリッジに搭載され前記インク記録ヘッドにインクを供給するサブタンクと、前記インクカートリッジから前記サブタンクへインクを供給するインク供給手段と、前記インクカートリッジの脱着を検出する脱着検出手段と、前記装置の状態に関する情報を表示する表示手段と、を具備し、前記表示手段は前記インクカートリッジが装着されていない状態であることや装置が印刷動作の準備をしている準備中状態にあることを表示し、前記装置が前記準備中状態にあり、かつ前記インクカートリッジが外れた状態にある時は、前記インクカートリッジが装着されていない状態であることを示す表示に優先して、装置が準備中状態にあることを示す表示を前記表示手段が行うようにした画像形成装置を最も主要な特徴とする。
請求項８記載の発明は、装置を制御し、また印刷を行うためのデータを保持するためのメモリと、前記メモリにデータを正常に読み書きできることを検出する自己診断手段と、前記メモリに前記装置を正常に動作させるための初期値を書き込む初期化手段と、を具備し、前記準備中状態は、前記メモリの自己診断手段による自己診断動作中の状態、又は前記メモリの初期化手段による初期化動作中の状態である、画像形成装置を最も主要な特徴とする。